(57)【要約】本開示のある特定の態様は、システム情報（ＳＩ）の信頼性の高い送信のための方法および装置に関する。いくつかのケースでは、ＵＥは、オンデマンド方式でＳＩを要求するためのインジケーションを送り得る。例えば、ＵＥによるワイヤレス通信のための方法は、ＵＥによって所望されるシステム情報（ＳＩ）が現在ブロードキャストされていないと決定することを含み得る。方法はさらに、決定に応答して、ＳＩを要求するための第１のインジケーションを送ることと、要求されたＳＩの受信を確認するための、またはある時間期間後にＵＥが要求されたＳＩを受信していないことを示すための第２のインジケーションを送ることとを含む。【選択図】図８
2020512768.tif 000002
【特許請求の範囲】
【請求項１】
ユーザ機器（ＵＥ）によるワイヤレス通信のための方法であって、
前記ＵＥによって所望されるシステム情報（ＳＩ）が現在ブロードキャストされていないと決定することと、
前記決定に応答して、前記ＳＩを要求するための第１のインジケーションを送ることと、
前記要求されたＳＩの受信を確認するための、またはある時間期間後に前記ＵＥが前記要求されたＳＩを受信していないことを示すための第２のインジケーションを送ることと
を備える、方法。
【請求項２】
前記第１のインジケーションはまた、前記要求されたＳＩがオンデマンドで利用可能であるという決定に応答して送られる、請求項１に記載の方法。
【請求項３】
前記時間期間は、前記第１のインジケーションに応答する前記要求されたＳＩの送信の予期されるインスタンスに基づいて前記要求されたＳＩを受信しようとする設定された試行回数に対応する、請求項１に記載の方法。
【請求項４】
前記予期されるインスタンスは、予めスケジューリングされたサブフレーム中で生じる、請求項３に記載の方法。
【請求項５】
前記設定された試行回数を受信、シグナリング、および示すことをさらに備える、請求項３に記載の方法。
【請求項６】
前記第１のインジケーションは、指定されたランダムアクセスチャネル（ＲＡＣＨ）送信を介して送られる、請求項１に記載の方法。
【請求項７】
前記第２のインジケーションは、前記第１のインジケーションと同じ方式で送られる、請求項１に記載の方法。
【請求項８】
前記第２のインジケーションが、前記時間期間後に前記ＵＥが前記要求されたＳＩを受信していないことを示すためのものである場合、
前記第２のインジケーションは、前記要求されたＳＩの再送信を要求するために、指定されたＲＡＣＨ送信または物理アップリンク制御チャネル（ＰＵＣＣＨ）上での否定応答（ＮＡＣＫ）として送られる、請求項１に記載の方法。
【請求項９】
前記第２のインジケーションが前記要求されたＳＩの受信を確認するためのものである場合、
前記第２のインジケーションは、指定されたＲＡＣＨ送信または物理アップリンク制御チャネル（ＰＵＣＣＨ）上での肯定応答（ＡＣＫ）として送られる、請求項１に記載の方法。
【請求項１０】
ブロードキャストメッセージ中で、前記要求されたＳＩがいつ送信されることになるかを示すシグナリングを受信すること
をさらに備える、請求項１に記載の方法。
【請求項１１】
ネットワークエンティティによるワイヤレス通信のための方法であって、
１つまたは複数のユーザ機器から、システム情報（ＳＩ）を求める要求として第１のインジケーションを受信することと、
前記第１のインジケーションに応答して前記要求されたＳＩを送信することと、
１つまたは複数のＵＥによる前記要求されたＳＩの受信を確認するための、またはある時間期間後に前記１つまたは複数のＵＥのうちの少なくとも１つが前記要求されたＳＩを受信していないと決定するための第２のインジケーションについてモニタすることと、
前記モニタすることに基づいて、前記要求されたＳＩを送信し続けるかどうかを決めることと
を備える、方法。
【請求項１２】
前記時間期間は、前記要求されたＳＩの設定された送信回数に対応する、請求項１１に記載の方法。
【請求項１３】
前記設定された回数の送信は、予めスケジューリングされたサブフレーム中で生じる、請求項１２に記載の方法。
【請求項１４】
試行回数を示すシグナリングを送信することをさらに備える、請求項１２に記載の方法。
【請求項１５】
前記設定された送信回数でカウンタを初期化することと、
各ＳＩ送信で前記カウンタをデクリメントすることと、ここにおいて、前記要求されたＳＩを送信し続けるかどうかを前記決めることは、前記カウンタに基づく、
をさらに備える、請求項１２に記載の方法。
【請求項１６】
前記決めることは、前記カウンタが０に達した場合に前記要求されたＳＩの送信を停止することを決めることを備える、請求項１５に記載の方法。
【請求項１７】
前記決めることは、前記１つまたは複数のＵＥの各々が前記要求されたＳＩを受信することを肯定応答した場合に、前記カウンタが０に達する前に前記要求されたＳＩの送信を停止することを決めることを備える、請求項１６に記載の方法。
【請求項１８】
前記要求されたＳＩを受信していない前記１つまたは複数のＵＥのうちの少なくとも１つから前記ネットワークエンティティが否定応答（ＮＡＣＫ）を受信する場合に、タイマを再初期化すること
をさらに備える、請求項１５に記載の方法。
【請求項１９】
前記第１のインジケーションは、指定されたランダムアクセスチャネル（ＲＡＣＨ）送信を介して受信される、請求項１１に記載の方法。
【請求項２０】
前記第２のインジケーションは、指定されたランダムアクセスチャネル（ＲＡＣＨ）送信または物理アップリンク制御チャネル（ＰＵＣＣＨ）送信のうちの少なくとも１つを介して送られる、請求項１１に記載の方法。
【請求項２１】
ブロードキャストメッセージ中で前記要求されたＳＩがいつ送信されることになるかを示すことをさらに備える、請求項１１に記載の方法。
【発明の詳細な説明】
【関連出願の相互参照】
【０００１】
[0001]本特許出願は、２０１７年３月３１日に出願された米国仮特許出願第６２／４８０，２９０号、および２０１８年２月２６日に出願された米国特許出願第１５／９０５，４２５号の利益を主張し、それらの両方が、本願の譲受人に譲渡され、且つこれによってその全体がここに参照によって明確に組み込まれる。
【技術分野】
【０００２】
[0002]本開示は概して、ワイヤレス通信システムに関し、およびより具体的には、そのようなシステム中でのシステム情報の信頼性の高い配信のための方法および装置に関する。
【背景技術】
【０００３】
[0003]ワイヤレス通信システムは、電話通信、ビデオ、データ、メッセージング、およびブロードキャストのような様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能である多元接続技術を用い得る。そのような多元接続技術の例は、ロングタームエボリューション（ＬＴＥ（登録商標））システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]いくつかの例では、ワイヤレス多元接続通信システムは、いくつかの基地局を含み得、各々が、別名ユーザ機器（ＵＥ）として知られている複数の通信デバイスのための通信を同時にサポートする。ＬＴＥまたはＬＴＥ−Ａネットワークでは、１つまたは複数の基地局のセットは、ｅノードＢ（ｅＮＢ）を定義し得る。他の例では（例えば、次世代または５Ｇネットワークでは）、ワイヤレス多元接続通信システムは、いくつかの集中型ユニット（ＣＵ：central units）（例えば、集中型ノード（ＣＮ：central nodes）、アクセスノードコントローラ（ＡＮＣ：access node controllers）、等）と通信中のいくつかの分散型ユニット（ＤＵ：distributed units）（例えば、エッジユニット（ＥＵ：edge units）、エッジノード（ＥＮ：edge nodes）、無線ヘッド（ＲＨ：radio heads）、スマート無線ヘッド（ＳＲＨ：smart radio heads）、送受信ポイント（ＴＲＰ：transmission reception points）、等）を含み得、ここで、集中型ユニットと通信中の１つまたは複数の分散型ユニットのセットは、アクセスノード（例えば、新無線基地局（ＮＲ ＢＳ：a new radio base station）、新無線ノードＢ（ＮＲ ＮＢ：a new radio node-B）、ネットワークノード、５Ｇ ＮＢ、ｅＮＢ、次世代ノードＢ（ｇＮＢ：Next Generation Node B）、等）を定義し得る。基地局またはＤＵは、（例えば、基地局からまたはＵＥへの送信のための）ダウンリンクチャネル上で、および（例えば、ＵＥから基地局または分散型ユニットへの送信のための）アップリンクチャネル上で、ＵＥのセットと通信し得る。
【０００５】
[0005]これらの多元接続技術は、異なるワイヤレスデバイスが、都市、国家、地域、さらには地球規模で通信することを可能にする共通プロトコルを提供するために、様々な電気通信規格において採用されてきた。新興の電気通信規格の例は、新無線（ＮＲ：new radio）、例えば、５Ｇ無線アクセスである。ＮＲは、第３世代パートナーシッププロジェクト（３ＧＰＰ（登録商標））によって公表されたＬＴＥモバイル規格の拡張セットである。それは、スペクトル効率を改善することと、コストを下げることと、サービスを改善することと、新たなスペクトルを利用することと、ダウンリンク（ＤＬ）上およびアップリンク（ＵＬ）上でサイクリックプレフィックス（ＣＰ）を伴うＯＦＤＭＡを使用して他のオープン規格とより良く統合することとによって、モバイルブロードバンドインターネットアクセスをより良くサポートし、ならびにビームフォーミングと、多入力多出力（ＭＩＭＯ）アンテナ技術と、キャリアアグリゲーションとをより良くサポートするように設計されている。
【０００６】
[0006]しかしながら、モバイルブロードバンドアクセスに対する需要が増大し続けるにつれて、ＮＲ技術におけるさらなる改善の要望が存在する。好ましくは、これらの改善は、他の多元接続技術およびこれらの技術を用いる電気通信規格に適用可能であるべきである。
【発明の概要】
【０００７】
[0007]本開示のシステム、方法、およびデバイスは各々、いくつかの態様を有し、それらのうちのいずれも、その望ましい属性を単独で担うものではない。後続する特許請求の範囲によって表されるようなこの開示の範囲を限定することなしに、ここでいくつかの特徴が簡潔に論述されることになる。この論述を考慮した後に、および特に「詳細な説明」と題されたセクションを読んだ後に、この開示の特徴がワイヤレスネットワーク中のアクセスポイントと局との間での改善された通信を含む利点をどのように提供するかが理解されるであろう。
【０００８】
[0008]ある特定の態様は、ユーザ機器によるワイヤレス通信のための方法を提供する。方法は概して、ＵＥによって所望されるシステム情報（ＳＩ）が現在ブロードキャストされていないと決定することと、決定に応答して、システム情報（ＳＩ）を要求するための第１のインジケーションを送ることと、要求されたＳＩの受信を確認するための、またはある時間期間後にＵＥが要求されたＳＩを受信していないことを示すための第２のインジケーションを送ることとを含む。
【０００９】
[0009]ある特定の態様は、基地局によるワイヤレス通信のための方法を提供する。方法は概して、１つまたは複数のユーザ機器から、システム情報（ＳＩ）を求める要求として第１のインジケーションを受信することと、第１のインジケーションに応答してＳＩを送信することと、１つまたは複数のＵＥによる要求されたＳＩの受信を確認するための、またはある時間期間後に１つまたは複数のＵＥのうちの少なくとも１つが要求されたＳＩを受信していないと決定するための第２のインジケーションについてモニタすることと、モニタすることに基づいて、ＳＩを送信し続けるかどうかを決めることとを含む。
【００１０】
[0010]態様は概して、添付の図面を参照しておよびそれらによって例示されるようにここに実質的に説明されるような、方法、装置、システム、コンピュータ可読媒体、および処理システムを含む。
【００１１】
[0011]前述の目的および関連する目的の達成のために、１つまたは複数の態様が、以下において十分に説明され、且つ特許請求の範囲で特に指摘される特徴を備える。以下の説明および付属の図面は、１つまたは複数の態様のある特定の例示的な特徴を詳細に記載する。これらの特徴は、しかしながら、様々な態様の原理が用いられ得る様々な方法のうちのほんの一部を示しているに過ぎず、およびこの説明は、全てのそのような態様およびそれらの同等物を含むことを意図される。
【００１２】
[0012]本開示の上記された特徴が詳細に理解されることができるように、上記に簡潔に要約されたより具体的な説明が、態様への参照によりなされ得、それらのうちのいくつかは、添付された図面に例示される。しかしながら、添付された図面は、この開示のある特定の典型的な態様のみを例示しており、およびしたがって、その説明が他の同等に効果的な態様を認め得ることから、その範囲を限定していると考慮されるべきではないことに留意されたい。
【図面の簡単な説明】
【００１３】
【図１】本開示のある特定の態様にしたがって、実例的な電気通信システムを概念的に例示するブロック図である。
【図２】本開示のある特定の態様にしたがって、分散型ＲＡＮの実例的な論理アーキテクチャを例示するブロック図である。
【図３】本開示のある特定の態様にしたがって、分散型ＲＡＮの実例的な物理アーキテクチャを例示する図である。
【図４】本開示のある特定の態様にしたがって、実例的なＢＳおよびユーザ機器（ＵＥ）の設計を概念的に例示するブロック図である。
【図５】本開示のある特定の態様にしたがって、通信プロトコルスタックをインプリメントするための例を示す図である。
【図６】本開示のある特定の態様にしたがって、ＤＬ中心サブフレーム（DL-centric subframe）の例を例示する。
【図７】本開示のある特定の態様にしたがって、ＵＬ中心サブフレーム（UL-centric subframe）の例を例示する。
【図８】本開示の態様にしたがって、ユーザ機器（ＵＥ）によるワイヤレス通信のための実例的な動作を例示する。
【図８Ａ】本開示の態様にしたがって、図８に示される動作を実行することが可能である実例的なコンポーネントを例示する。
【図９】本開示の態様にしたがって、基地局によるワイヤレス通信のための実例的な動作を例示する。
【図９Ａ】本開示の態様にしたがって、図９に示される動作を実行することが可能である実例的なコンポーネントを例示する。
【図１０】本開示の態様にしたがって、システム情報の信頼性の高い配信のための１つのアプローチを例示する。
【図１１】本開示の態様にしたがった、システム情報の信頼性の高い配信のための１つのアプローチを例示する。
【００１４】
[0026]理解を容易にするために、同一の参照番号が、可能な場合、図面に共通である同一の要素を指定するために使用されている。一態様に説明される要素は、具体的な記載なしに他の態様に対して有益に利用され得ることが企図される。
【詳細な説明】
【００１５】
[0027]本開示の態様は、新無線（ＮＲ）（新無線アクセス技術または５Ｇ技術）のための装置、方法、処理システム、およびコンピュータ可読媒体を提供する。
【００１６】
[0028]ＮＲは、広帯域幅（例えば、８０ＭＨｚ超過）を対象とする拡張モバイルブロードバンド（ｅＭＢＢ：Enhanced mobile broadband）、高キャリア周波数（例えば、２７ＧＨｚ以上）を対象とするミリメートル波（ｍｍＷ）、非後方互換性のＭＴＣ技法を対象とするマッシブＭＴＣ（ｍＭＴＣ：massive MTC）、および／または超信頼性低レイテンシ通信（ＵＲＬＬＣ：ultra-reliable low latency communications）を対象とするミッションクリティカルのような様々なワイヤレス通信サービスをサポートし得る。これらのサービスは、レイテンシおよび信頼性要件を含み得る。これらのサービスはまた、それぞれのサービス品質（ＱｏＳ）要件を満たすために、異なる送信時間間隔（ＴＴＩ）を有し得る。加えて、これらのサービスは、同じサブフレーム中に共存し得る。
【００１７】
[0029]以下の説明は、例を提供しており、および特許請求の範囲に記載されている範囲、適用可能性、または例を限定するものではない。本開示の範囲から逸脱することなしに、論述される要素の機能および配置において変更がなされ得る。様々な例は、適宜、様々なプロシージャまたはコンポーネントを省略、代用、あるいは追加し得る。例えば、説明される方法は、説明されるものとは異なる順序で実行され得、様々なステップが追加、省略、または組み合わされ得る。また、いくつかの例に関して説明される特徴は、いくつかの他の例では組み合わされ得る。例えば、ここに記載される任意の数の態様を使用して、装置がインプリメントされ得るか、または方法が実施され得る。加えて、本開示の範囲は、ここに記載される開示の様々な態様に加えて、またはそれ以外の、他の構造、機能、あるいは構造および機能を使用して実施されるそのような装置または方法をカバーすることを意図されている。ここに説明される開示の任意の態様が特許請求の範囲の１つまたは複数の要素によって具現化され得ることは理解されるべきである。「例証的（exemplary）」という用語は、ここでは「例、事例、または例示としての役割を果たすこと」を意味するように使用される。「例証的」であるとしてここに説明されるいずれの態様も、他の態様より好ましいまたは有利であるとして必ずしも解釈されるべきではない。
【００１８】
[0030]ここに説明される技法は、ＬＴＥ、ＣＤＭＡ、ＴＤＭＡ、ＦＤＭＡ、ＯＦＤＭＡ、ＳＣ−ＦＤＭＡおよび他のネットワークのような様々なワイヤレス通信ネットワークのために使用され得る。「ネットワーク」および「システム」という用語は、交換可能に使用されることが多い。ＣＤＭＡネットワークは、ユニバーサル地上無線アクセス（ＵＴＲＡ）、ｃｄｍａ２０００、等のような無線技術をインプリメントし得る。ＵＴＲＡは、ワイドバンドＣＤＭＡ（ＷＣＤＭＡ（登録商標））およびＣＤＭＡの他の変形を含む。ｃｄｍａ２０００は、ＩＳ−２０００、ＩＳ−９５およびＩＳ−８５６規格をカバーする。ＴＤＭＡネットワークは、モバイル通信のためのグローバルシステム（ＧＳＭ（登録商標））のような無線技術をインプリメントし得る。ＯＦＤＭＡネットワークは、ＮＲ（例えば、５Ｇ ＮＲ）、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＡ、等のような無線技術をインプリメントし得る。ＵＴＲＡおよびＥ−ＵＴＲＡは、ユニバーサルモバイル電気通信システム（ＵＭＴＳ）の一部である。ＮＲは、５Ｇ技術フォーラム（５ＧＴＦ：5G Technology Forum）とともに開発中の新興のワイヤレス通信技術である。３ＧＰＰロングタームエボリューション（ＬＴＥ）およびＬＴＥ−Ａｄｖａｎｃｅｄ（ＬＴＥ−Ａ）は、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の組織からの文書中に説明されている。ｃｄｍａ２０００およびＵＭＢは、「第３世代パートナーシッププロジェクト２」（３ＧＰＰ２）という名称の組織からの文書中に説明されている。「ＬＴＥ」は概して、ＬＴＥ、ＬＴＥ−Ａｄｖａｎｃｅｄ（ＬＴＥ−Ａ）、アンライセンススペクトル中のＬＴＥ（ＬＴＥ−ｗｈｉｔｅｓｐａｃｅ）、等を指す。ここに説明される技法は、上述されたワイヤレスネットワークおよび無線技術ならびに他のワイヤレスネットワークおよび無線技術のために使用され得る。明確性のために、態様は、３Ｇおよび／または４Ｇワイヤレス技術に共通して関連付けられた専門用語を使用してここに説明され得るが、本開示の態様は、ＮＲ技術を含む、５Ｇ以降のような他の世代ベースの通信システムにおいて適用されることができる。  
実例的なワイヤレス通信システム
【００１９】
[0031]図１は、新無線（ＮＲ）または５Ｇネットワークのような実例的なワイヤレスネットワーク１００を例示しており、それにおいて、本開示の態様が実行され得る。
【００２０】
[0032]図１に例示されているように、ワイヤレスネットワーク１００は、いくつかのＢＳ１１０および他のネットワークエンティティを含み得る。ＢＳは、ＵＥと通信する局であり得る。各ＢＳ１１０は、特定の地理的エリアに対して通信カバレッジを提供し得る。３ＧＰＰでは、「セル」という用語は、その用語が使用されるコンテキストに依存して、ノードＢのカバレッジエリアおよび／またはこのカバレッジエリアにサービングするノードＢサブシステムを指すことができる。ＮＲシステムでは、「セル」という用語と、ｅＮＢ、ノードＢ、５Ｇ ＮＲ、ＡＰ、ＮＲ ＢＳ、ＮＲ ＢＳ、ｇＮＢ、またはＴＲＰとは、交換可能であり得る。いくつかの例では、セルは、必ずしも固定式ではないことがあり得、およびセルの地理的エリアは、移動式基地局のロケーションにしたがって移動し得る。いくつかの例では、基地局は、直接物理接続、仮想ネットワーク、または任意の適したトランスポートネットワークを使用する同様のもののような様々なタイプのバックホールインターフェースを通じて、ワイヤレスネットワーク１００中で互いにおよび／または１つまたは複数の他の基地局あるいはネットワークノード（図示せず）に相互接続され得る。
【００２１】
[0033]一般に、任意の数のワイヤレスネットワークが、所与の地理的エリア中に展開され得る。各ワイヤレスネットワークは、特定の無線アクセス技術（ＲＡＴ）をサポートし得、および１つまたは複数の周波数上で動作し得る。ＲＡＴはまた、無線技術、エアインターフェース、等と呼ばれ得る。周波数はまた、キャリア、周波数チャネル、等と呼ばれ得る。各周波数は、異なるＲＡＴのワイヤレスネットワーク間の干渉を避けるために、所与の地理的エリア中で単一のＲＡＴをサポートし得る。いくつかのケースでは、ＮＲまたは５Ｇ ＲＡＴネットワークが展開され得る。
【００２２】
[0034]ＢＳは、マクロセル、ピコセル、フェムトセル、および／または他のタイプのセルに対して通信カバレッジを提供し得る。マクロセルは、比較的大きい地理的エリア（例えば、半径数キロメートル）をカバーし得、およびサービスに加入しているＵＥによる無制限のアクセスを可能にし得る。ピコセルは、比較的小さい地理的エリアをカバーし得、およびサービスに加入しているＵＥによる無制限のアクセスを可能にし得る。フェムトセルは、比較的小さい地理的エリア（例えば、家）をカバーし得、およびそのフェムトセルとのアソシエーションを有するＵＥ（例えば、クローズド加入者グループ（ＣＳＧ：a Closed Subscriber Group）中のＵＥ、家の中にいるユーザのためのＵＥ、等）による制限されたアクセスを可能にし得る。マクロセルのためのＢＳは、マクロＢＳと呼ばれ得る。ピコセルのためのＢＳは、ピコＢＳと呼ばれ得る。フェムトセルのためのＢＳは、フェムトＢＳまたはホームＢＳと呼ばれ得る。図１に示されている例では、ＢＳ１１０ａ、１１０ｂおよび１１０ｃは、それぞれ、マクロセル１０２ａ、１０２ｂおよび１０２ｃのためのマクロＢＳであり得る。ＢＳ１１０ｘは、ピコセル１０２ｘのためのピコＢＳであり得る。ＢＳ１１０ｙおよび１１０ｚは、それぞれ、フェムトセル１０２ｙおよび１０２ｚのためのフェムトＢＳであり得る。ＢＳは、１つまたは複数の（例えば、３つの）セルをサポートし得る。
【００２３】
[0035]ワイヤレスネットワーク１００はまた、中継局を含み得る。中継局は、アップストリーム局（例えば、ＢＳまたはＵＥ）からデータおよび／または他の情報の送信を受信し、およびダウンストリーム局（例えば、ＵＥまたはＢＳ）にデータおよび／または他の情報の送信を送る局である。中継局はまた、他のＵＥのための送信を中継するＵＥであり得る。図１に示されている例では、中継局１１０ｒは、ＢＳ１１０ａとＵＥ１２０ｒとの間での通信を容易にするために、ＢＳ１１０ａおよびＵＥ１２０ｒと通信し得る。中継局はまた、中継ＢＳ、中継器、等と呼ばれ得る。
【００２４】
[0036]ワイヤレスネットワーク１００は、異なるタイプのＢＳ、例えば、マクロＢＳ、ピコＢＳ、フェムトＢＳ、中継器、等を含む異種ネットワークであり得る。これらの異なるタイプのＢＳは、ワイヤレスネットワーク１００中で、異なる送信電力レベル、異なるカバレッジエリア、および干渉に対する異なる影響を有し得る。例えば、マクロＢＳが高い送信電力レベル（例えば、２０ワット）を有し得るのに対して、ピコＢＳ、フェムトＢＳ、および中継器は、より低い送信電力レベル（例えば、１ワット）を有し得る。
【００２５】
[0037]ワイヤレスネットワーク１００は、同期または非同期動作をサポートし得る。同期動作の場合、ＢＳは、同様のフレームタイミングを有し得、および異なるＢＳからの送信は、ほぼ時間的に揃えられ得る（approximately aligned in time）。非同期動作の場合、ＢＳは、異なるフレームタイミングを有し得、および異なるＢＳからの送信は、時間的に揃えられないことがあり得る。ここに説明される技法は、同期動作および非同期動作の両方のために使用され得る。
【００２６】
[0038]ネットワークコントローラ１３０は、ＢＳのセットに結合され得、およびこれらのＢＳに対して協調および制御を提供し得る。ネットワークコントローラ１３０は、バックホールを介してＢＳ１１０と通信し得る。ＢＳ１１０はまた、例えば、ワイヤレスまたはワイヤラインバックホールを介して直接的にまたは間接的に互いと通信し得る。
【００２７】
[0039]ＵＥ１２０（例えば、１２０ｘ、１２０ｙ、等）は、ワイヤレスネットワーク１００全体を通じて分散され得、および各ＵＥは、固定式または移動式であり得る。ＵＥはまた、モバイル局、端末、アクセス端末、加入者ユニット、局、加入者宅内機器（ＣＰＥ：Customer Premises Equipment)、セルラ電話、スマートフォン、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、カメラ、ゲーミングデバイス、ネットブック、スマートブック、ウルトラブック、医療デバイスまたは医療機器、ヘルスケアデバイス、生体センサ／デバイス、スマートウォッチ、スマートクロージング、スマートグラス、仮想現実ゴーグル、スマートリストバンド、スマートジュエリ（例えば、スマートリング、スマートブレスレット、等）のようなウェアラブルデバイス、エンターテインメントデバイス（例えば、音楽デバイス、ビデオデバイス、衛星ラジオ、等）、車両コンポーネントまたはセンサ、スマートメータ／センサ、ロボット、ドローン、工業製造機器、測位デバイス（例えば、ＧＰＳ、北斗、地上の）、あるいはワイヤレスまたはワイヤード媒体を介して通信するように構成された任意の他の適したデバイスと呼ばれ得る。いくつかのＵＥは、マシンタイプ通信（ＭＴＣ）デバイスまたは発展型ＭＴＣ（ｅＭＴＣ）デバイスであると考えられ得、それは、基地局、別のリモートデバイス、または何らかの他のエンティティと通信し得るリモートデバイスを含み得る。マシンタイプ通信（ＭＴＣ）は、通信の少なくとも一端上に少なくとも１つのリモートデバイスを伴う通信を指し得、およびヒューマンインタラクション（human interaction）を必ずしも必要としない１つまたは複数のエンティティを伴うデータ通信の形態を含み得る。ＭＴＣ ＵＥは、例えば、公衆陸上モバイルネットワーク（ＰＬＭＮ：Public Land Mobile Networks）を通じたＭＴＣサーバおよび／または他のＭＴＣデバイスとのＭＴＣ通信が可能であるＵＥを含み得る。ＭＴＣおよびｅＭＴＣ ＵＥは、例えば、ＢＳ、別のデバイス（例えば、リモートデバイス）、または何らかの他のエンティティと通信し得る、ロボット、ドローン、リモートデバイス、センサ、メータ、モニタ、カメラ、ロケーションタグ、等を含む。ワイヤレスノードは、例えば、ワイヤードまたはワイヤレス通信リンクを介して、ネットワーク（例えば、セルラネットワークまたはインターネットのようなワイドエリアネットワーク）のための、またはそれへの接続性を提供し得る。ＭＴＣ ＵＥ、ならびに他のＵＥは、モノのインターネット（ＩｏＴ）デバイス、例えば、ナローバンドＩｏＴ（ＮＢ−ＩｏＴ）デバイスとして、インプリメントされ得る。
【００２８】
[0040]図１では、両矢印を有する実線は、ＵＥとサービングＢＳとの間での所望される送信を示し、サービングＢＳは、ダウンリンクおよび／またはアップリンク上でＵＥにサービングするように指定されたＢＳである。両矢印を有する破線は、ＵＥとＢＳとの間での干渉する送信を示す。
【００２９】
[0041]ある特定のワイヤレスネットワーク（例えば、ＬＴＥ）は、ダウンリンク上で直交周波数分割多重化（ＯＦＤＭ）を、およびアップリンク上でシングルキャリア周波数分割多重化（ＳＣ−ＦＤＭ）を利用する。ＯＦＤＭおよびＳＣ−ＦＤＭは、システム帯域幅を複数（Ｋ個）の直交サブキャリアへと区分化し、それは一般に、トーン、ビン、等とも呼ばれる。各サブキャリアは、データで変調され得る。一般に、変調シンボルは、ＯＦＤＭでは周波数ドメイン中で、およびＳＣ−ＦＤＭでは時間ドメイン中で送られる。隣接サブキャリア間の間隔は、固定され得、およびサブキャリアの総数（Ｋ個）は、システム帯域幅に依存し得る。例えば、サブキャリアの間隔は、１５ｋＨｚであり得、および（「リソースブロック」と呼ばれる）最小リソース割り振りは、１２個のサブキャリア（または１８０ｋＨｚ）であり得る。その結果として、公称ＦＦＴサイズは、１．２５、２．５、５、１０または２０メガヘルツ（ＭＨｚ）のシステム帯域幅に対して、それぞれ、１２８、２５６、５１２、１０２４または２０４８に等しくなり得る。システム帯域幅はまた、サブバンドへと区分化され得る。例えば、サブバンドは、１．０８ＭＨｚ（例えば、６つのリソースブロック）をカバーし得、および１．２５、２．５、５、１０または２０ＭＨｚのシステム帯域幅に対して、それぞれ、１、２、４、８または１６個のサブバンドが存在し得る。
【００３０】
[0042]ここに説明される例の態様は、ＬＴＥ技術に関連付けられ得るが、本開示の態様は、ＮＲのような他のワイヤレス通信に適用可能であり得る。ＮＲは、アップリンクおよびダウンリンク上でのＣＰを伴うＯＦＤＭを利用し得、および時分割複信（ＴＤＤ）を使用する半二重動作のためのサポートを含み得る。１００ＭＨｚの単一のコンポーネントキャリア帯域幅がサポートされ得る。ＮＲリソースブロックは、０．１ｍｓの持続期間にわたって７５ｋＨｚのサブキャリア帯域幅を有する１２個のサブキャリアに及び得る。各無線フレームは、１０ｍｓの長さを有する２つの半フレームから成り得、各半フレームは、５つのサブフレームから成る。その結果として、各サブフレームは、１ｍｓの長さを有し得る。各サブフレームは、データ送信のためのリンク方向（例えば、ＤＬまたはＵＬ）を示し得、および各サブフレームについてのリンク方向は、動的に切り替えられ得る。各サブフレームは、ＤＬ／ＵＬデータならびにＤＬ／ＵＬ制御データを含み得る。ＮＲのためのＵＬおよびＤＬサブフレームは、図６および７に関して以下により詳細に説明される通りであり得る。ビームフォーミングがサポートされ得、およびビーム方向が動的に構成され得る。プリコーディングを伴うＭＩＭＯ送信もまたサポートされ得る。ＤＬにおけるＭＩＭＯ構成は、最大８つのストリームおよびＵＥごとに最大２つのストリームのマルチレイヤＤＬ送信を伴う最大８つの送信アンテナをサポートし得る。ＵＥごとに最大２つのストリームを伴うマルチレイヤ送信がサポートされ得る。複数のセルのアグリゲーションが、最大８つのサービングセルを伴ってサポートされ得る。代替として、ＮＲは、ＯＦＤＭベース以外の異なるエアインターフェースをサポートし得る。ＮＲネットワークは、エンティティ、そのようなＣＵおよび／またはＤＵを含み得る。
【００３１】
[0043]いくつかの例では、エアインターフェースへのアクセスがスケジューリングされ得、ここにおいて、スケジューリングエンティティ（例えば、基地局）は、そのサービスエリアまたはセル内のいくつかまたは全てのデバイスおよび機器間での通信のためにリソースを割り振る。本開示内では、さらに以下に論述されるように、スケジューリングエンティティは、１つまたは複数の下位（subordinate）エンティティのためにリソースをスケジューリング、割り当て、再構成、および解放することを担い得る。すなわち、スケジューリングされた通信のために、下位エンティティは、スケジューリングエンティティによって割り振られたリソースを利用する。基地局は、スケジューリングエンティティとして機能し得る唯一のエンティティではない。すなわち、いくつかの例では、ＵＥがスケジューリングエンティティとして機能し得、１つまたは複数の下位エンティティ（例えば、１つまたは複数の他のＵＥ）のためにリソースをスケジューリングする。この例では、ＵＥは、スケジューリングエンティティとして機能しており、および他のＵＥは、ワイヤレス通信のために該ＵＥによってスケジューリングされたリソースを利用する。ＵＥは、ピアツーピア（Ｐ２Ｐ）ネットワーク中で、および／またはメッシュネットワーク中でスケジューリングエンティティとして機能し得る。メッシュネットワークの例では、ＵＥはオプションとして、スケジューリングエンティティと通信することに加えて、互いと直接通信し得る。
【００３２】
[0044]このことから、時間−周波数リソースへのスケジューリングされたアクセスを伴い、且つセルラ構成、Ｐ２Ｐ構成、およびメッシュ構成を有するワイヤレス通信ネットワークでは、スケジューリングエンティティおよび１つまたは複数の下位エンティティは、スケジューリングされたリソースを利用して通信し得る。
【００３３】
[0045]上述されたように、ＲＡＮは、ＣＵおよびＤＵを含み得る。ＮＲ ＢＳ（例えば、ｅＮＢ、５ＧノードＢ、ノードＢ、送受信ポイント（ＴＲＰ）、アクセスポイント（ＡＰ））は、１つまたは複数のＢＳに対応し得る。ＮＲセルは、アクセスセル（ＡＣｅｌｌ：access cell）またはデータオンリセル（ＤＣｅｌｌ：data only cells）として構成されることができる。例えば、ＲＡＮ（例えば、集中型ユニットまたは分散型ユニット）は、セルを構成することができる。ＤＣｅｌｌは、キャリアグリゲーションまたはデュアルコネクティビティ（ＤＣ）のために使用されるセルであり得るが、初期アクセス、セル選択／再選択、またはハンドオーバのためには使用されない。いくつかのケースでは、ＤＣｅｌｌは、同期信号を送信しないことがあり得る−いくつかのケースケース（case cases）では、ＤＣｅｌｌは、ＳＳを送信し得る。ＮＲ ＢＳは、セルタイプを示すダウンリンク信号をＵＥに送信し得る。セルタイプインジケーションに基づいて、ＵＥは、ＮＲ ＢＳと通信し得る。例えば、ＵＥは、示されたセルタイプに基づいて、セル選択、アクセス、ハンドオーバ、および／または測定のために考慮するＮＲ ＢＳを決定し得る。
【００３４】
[0046]図２は、分散型無線アクセスネットワーク（ＲＡＮ）２００の実例的な論理アーキテクチャを例示しており、それは、図１に例示されているワイヤレス通信システムにおいてインプリメントされ得る。５Ｇアクセスノード２０６は、アクセスノードコントローラ（ＡＮＣ）２０２を含み得る。ＡＮＣは、分散型ＲＡＮ２００の集中型ユニット（ＣＵ）であり得る。次世代コアネットワーク（ＮＧ−ＣＮ）２０４へのバックホールインターフェースは、ＡＮＣにおいて終端し得る。近隣の次世代アクセスノード（ＮＧ−ＡＮ）へのバックホールインターフェースは、ＡＮＣにおいて終端し得る。ＡＮＣは、１つまたは複数のＴＲＰ２０８を含み得る（それはまた、ＢＳ、ＮＲ ＢＳ、ノードＢ、５Ｇ ＮＢ、ＡＰ、ｇＮＢ、または何らかの他の用語で呼ばれ得る）。上述されたように、ＴＲＰは、「セル」と交換可能に使用され得る。
【００３５】
[0047]ＴＲＰ２０８は、ＤＵであり得る。ＴＲＰは、１つのＡＮＣ（ＡＮＣ２０２）または１つよりも多くのＡＮＣ（例示せず）に接続され得る。例えば、ＲＡＮ共有、サービスとしての無線（ＲａａＳ：radio as a service）、およびサービス固有ＡＮＤ展開（service specific AND deployments）のために、ＴＲＰは、１つよりも多くのＡＮＣに接続され得る。ＴＲＰは、１つまたは複数の送信機、受信機、および／またはアンテナポートを含み得る。ＴＲＰは、個々に（例えば、動的選択）または共同で（例えば、共同送信）、ＵＥにトラフィックをサービングするように構成され得る。
【００３６】
[0048]ローカルアーキテクチャ２００は、フロントホール定義（fronthaul definition）を例示するために使用され得る。異なる展開タイプにわたってフロントホーリングソリューション（fronthauling solutions）をサポートするアーキテクチャが定義され得る。例えば、アーキテクチャは、送信ネットワーク能力（例えば、帯域幅、レイテンシ、および／またはジッタ）に基づき得る。
【００３７】
[0049]アーキテクチャは、ＬＴＥと特徴および／またはコンポーネントを共有し得る。態様によると、次世代ＡＮ（ＮＧ−ＡＮ）２１０は、ＮＲとのデュアルコネクティビティをサポートし得る。ＮＧ−ＡＮは、ＬＴＥおよびＮＲについて共通のフロントホールを共有し得る。
【００３８】
[0050]アーキテクチャは、ＴＲＰ２０８の間および中（between and among）での協働を可能にし得る。例えば、協働は、ＡＮＣ２０２を介して複数のＴＲＰにわたっておよび／または１つのＴＲＰ内で予め設定され得る。態様によると、ＴＲＰ間インターフェースは、必要とされない／存在しないことがあり得る。
【００３９】
[0051]態様によると、分けられた論理機能（split logical functions）の動的構成が、アーキテクチャ２００内に存在し得る。図５を参照してより詳細に説明されることになるように、無線リソース制御（ＲＲＣ）レイヤ、パケットデータコンバージェンスプロトコル（ＰＤＣＰ）レイヤ、無線リンク制御（ＲＬＣ）レイヤ、媒体アクセス制御（ＭＡＣ）レイヤ、および物理（ＰＨＹ）レイヤが、ＤＵまたはＣＵ（例えば、それぞれ、ＴＲＰまたはＡＮＣ）においてに適応的に配置され得る。ある特定の態様によると、ＢＳは、１つの集中型ユニット（ＣＵ）（例えば、ＡＮＣ２０２）および／または１つまたは複数の分散型ユニット（例えば、１つまたは複数のＴＲＰ２０８）を含み得る。
【００４０】
[0052]図３は、本開示の態様にしたがって、分散型ＲＡＮ３００の実例的な物理アーキテクチャを例示している。集中型コアネットワークユニット（Ｃ−ＣＵ：centralized core network unit）３０２は、コアネットワーク機能をホストし得る。Ｃ−ＣＵは、集中的に（centrally）展開され得る。Ｃ−ＣＵの機能は、ピーク容量を処理する取り組みにおいて、（例えば、アドバンスドワイヤレスサービス（ＡＷＳ）に）オフロードされ得る。
【００４１】
[0053]集中型ＲＡＮユニット（Ｃ−ＲＵ）３０４は、１つまたは複数のＡＮＣ機能をホストし得る。オプションとして、Ｃ−ＲＵは、局所的にコアネットワーク機能をホストし得る。Ｃ−ＲＵは、分散型展開を有し得る。Ｃ−ＲＵは、ネットワークエッジにより近いことがあり得る。
【００４２】
[0054]ＤＵ３０６は、１つまたは複数のＴＲＰ（エッジノード（ＥＮ）、エッジユニット（ＥＵ）、無線ヘッド（ＲＨ）、スマート無線ヘッド（ＳＲＨ）、または同様のもの）をホストし得る。ＤＵは、無線周波数（ＲＦ）機能を有するネットワークのエッジにロケートされ得る。
【００４３】
[0055]図４は、図１に例示されているＢＳ１１０およびＵＥ１２０の実例的なコンポーネントを例示しており、それらは、本開示の態様をインプリメントするために使用され得る。上述されたように、ＢＳは、ＴＲＰを含み得る。ＢＳ１１０およびＵＥ１２０の１つまたは複数のコンポーネントは、本開示の態様を実施するために使用され得る。例えば、ＵＥ１２０のアンテナ４５２、Ｔｘ／Ｒｘ２２２、プロセッサ４６６、４５８、４６４、および／またはコントローラ／プロセッサ４８０、および／またはＢＳ１１０のアンテナ４３４、プロセッサ４６０、４２０、４３８、および／またはコントローラ／プロセッサ４４０は、ここに説明され、且つ図１２および１３を参照して例示される動作を実行するために使用され得る。
【００４４】
[0056]図４は、ＢＳ１１０およびＵＥ１２０の設計のブロック図を示しており、それらは、図１におけるＢＳのうちの１つおよびＵＥのうちの１つであり得る。制限されたアソシエーションシナリオの場合、基地局１１０は、図１におけるマクロＢＳ１１０ｃであり得、およびＵＥ１２０は、ＵＥ１２０ｙであり得る。基地局１１０はまた、何らかの他のタイプの基地局であり得る。基地局１１０は、アンテナ４３４ａ〜４３４ｔを装備され得、およびＵＥ１２０は、アンテナ４５２ａ〜４５２ｒを装備され得る。
【００４５】
[0057]基地局１１０において、送信プロセッサ４２０は、データソース４１２からデータを、およびコントローラ／プロセッサ４４０から制御情報を受信し得る。制御情報は、物理ブロードキャストチャネル（ＰＢＣＨ）、物理制御フォーマットインジケータチャネル（ＰＣＦＩＣＨ）、物理ハイブリッドＡＲＱインジケータチャネル（ＰＨＩＣＨ）、物理ダウンリンク制御チャネル（ＰＤＣＣＨ）、等のためのものであり得る。データは、物理ダウンリンク共有チャネル（ＰＤＳＣＨ）、等のためのものであり得る。プロセッサ４２０は、データおよび制御情報を処理（例えば、符号化およびシンボルマッピング）して、それぞれデータシンボルおよび制御シンボルを取得し得る。プロセッサ４２０はまた、例えば、ＰＳＳ、ＳＳＳ、およびセル固有基準信号のための基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（例えば、プリコーディング）を実行し得、および変調器（ＭＯＤ）４３２ａ〜４３２ｔに出力シンボルストリームを提供し得る。例えば、ＴＸ ＭＩＭＯプロセッサ４３０は、ＲＳ多重化のために、ここに説明されるある特定の態様を実行し得る。各変調器４３２は、（例えば、ＯＦＤＭ、等のために）それぞれの出力シンボルストリームを処理して、出力サンプルストリームを取得し得る。各変調器４３２はさらに、出力サンプルストリームを処理（例えば、アナログに変換、増幅、フィルタリング、およびアップコンバート）して、ダウンリンク信号を取得し得る。変調器４３２ａ〜４３２ｔからのダウンリンク信号は、それぞれ、アンテナ４３４ａ〜４３４ｔを介して送信され得る。
【００４６】
[0058]ＵＥ１２０において、アンテナ４５２ａ〜４５２ｒは、基地局１１０からダウンリンク信号を受信し得、および、それぞれ、復調器（ＤＥＭＯＤ）４５４ａ〜４５４ｒに受信された信号を提供し得る。各復調器４５４は、それぞれの受信された信号を調整（例えば、フィルタリング、増幅、ダウンコンバート、およびデジタル化）して、入力サンプルを取得し得る。各復調器４５４はさらに、（例えば、ＯＦＤＭ、等のために）入力サンプルを処理して、受信されたシンボルを取得し得る。ＭＩＭＯ検出器４５６は、全ての復調器４５４ａ〜４５４ｒから、受信されたシンボルを取得し、適用可能な場合には受信されたシンボルに対してＭＩＭＯ検出を実行し、および検出されたシンボルを提供し得る。例えば、ＭＩＭＯ検出器４５６は、ここに説明される技法を使用して送信される検出されたＲＳを提供し得る。受信プロセッサ４５８は、検出されたシンボルを処理（例えば、復調、デインタリーブ、および復号）し、データシンク４６０にＵＥ１２０のための復号されたデータを提供し、およびコントローラ／プロセッサ４８０に復号された制御情報を提供し得る。１つまたは複数のケースによると、ＣｏＭＰの態様は、アンテナ、ならびにいくつかのＴｘ／Ｒｘ機能を提供することを含むことができ、それにより、それらは、分散型ユニット中に存在する。例えば、いくつかのＴｘ／Ｒｘ処理は、集中型ユニット中で行われることができるが、その一方で他の処理は、分散型ユニットにおいて行われることができる。例えば、図に示されているような１つまたは複数の態様にしたがって、ＢＳ変調器／復調器４３２は、分散型ユニット中にあり得る。
【００４７】
[0059]アップリンク上では、ＵＥ１２０において、送信プロセッサ４６４は、データソース４６２から（例えば、物理アップリンク共有チャネル（ＰＵＳＣＨ）のための）データを、およびコントローラ／プロセッサ４８０から（例えば、物理アップリンク制御チャネル（ＰＵＣＣＨ）のための）制御情報を受信および処理し得る。送信プロセッサ４６４はまた、基準信号のための基準シンボルを生成し得る。送信プロセッサ４６４からのシンボルは、適用可能な場合にはＴＸ ＭＩＭＯプロセッサ４６６によってプリコーディングされ、（例えば、ＳＣ−ＦＤＭ、等のために）復調器４５４ａ〜４５４ｒによってさらに処理され、および基地局１１０に送信され得る。ＢＳ１１０において、ＵＥ１２０からのアップリンク信号は、ＵＥ１２０によって送られた復号されたデータおよび制御情報を取得するために、アンテナ４３４によって受信され、変調器４３２によって処理され、適用可能な場合にはＭＩＭＯ検出器４３６によって検出され、および受信プロセッサ４３８によってさらに処理され得る。受信プロセッサ４３８は、データシンク４３９に復号されたデータを、およびコントローラ／プロセッサ４４０に復号された制御情報を提供し得る。
【００４８】
[0060]コントローラ／プロセッサ４４０および４８０は、それぞれ、基地局１１０およびＵＥ１２０における動作を指示し得る。基地局１１０におけるプロセッサ４４０および／または他のプロセッサおよびモジュールは、ここに説明される技法のためのプロセスを実行または指示し得る。ＵＥ１２０におけるプロセッサ４８０および／または他のプロセッサおよびモジュールもまた、ここに説明される技法のためのプロセスを実行または指示し得る。メモリ４４２および４８２は、それぞれ、ＢＳ１１０およびＵＥ１２０のためのデータおよびプログラムコードを記憶し得る。スケジューラ４４４は、ダウンリンクおよび／またはアップリンク上でのデータ送信のためにＵＥをスケジューリングし得る。
【００４９】
[0061]図５は、本開示のある特定の態様にしたがって、通信プロトコルスタックをインプリメントするための例を示す図５００を例示している。例示されている通信プロトコルスタックは、５Ｇシステム（例えば、アップリンクベースのモビリティをサポートするシステム）中で動作しているデバイスによってインプリメントされ得る。図５００は、無線リソース制御（ＲＲＣ）レイヤ５１０、パケットデータコンバージェンスプロトコル（ＰＤＣＰ）レイヤ５１５、無線リンク制御（ＲＬＣ）レイヤ５２０、媒体アクセス制御（ＭＡＣ）レイヤ５２５、および物理（ＰＨＹ）レイヤ５３０を含む通信プロトコルスタックを例示している。様々な例では、プロトコルスタックのレイヤは、ソフトウェアの別個のモジュール、プロセッサまたはＡＳＩＣの一部分、通信リンクによって接続されたコロケートされていないデバイスの一部分、またはそれらの様々な組み合わせとしてインプリメントされ得る。コロケートされたおよびコロケートされていないインプリメンテーションは、例えば、ネットワークアクセスデバイス（例えば、ＡＮ、ＣＵ、および／またはＤＵ）またはＵＥのためのプロトコルスタック中で使用され得る。
【００５０】
[0062]第１のオプション５０５−ａは、プロトコルスタックの分けられたインプリメンテーションを示しており、それにおいて、プロトコルスタックのインプリメンテーションは、集中型ネットワークアクセスデバイス（例えば、図２におけるＡＮＣ２０２）と分散型ネットワークアクセスデバイス（例えば、図２におけるＤＵ２０８）との間で分けられる。第１のオプション５０５−ａでは、ＲＲＣレイヤ５１０およびＰＤＣＰレイヤ５１５は、集中型ユニットによってインプリメントされ得、およびＲＬＣレイヤ５２０、ＭＡＣレイヤ５２５、およびＰＨＹレイヤ５３０は、ＤＵによってインプリメントされ得る。様々な例では、ＣＵおよびＤＵは、コロケートされることも、コロケートされないこともあり得る。第１のオプション５０５−ａは、マクロセル、ミクロセル、またはピコセル展開において有用であり得る。
【００５１】
[0063]第２のオプション５０５−ｂは、プロトコルスタックの統合されたインプリメンテーションを示しており、それにおいて、プロトコルスタックは、単一のネットワークアクセスデバイス（例えば、アクセスノード（ＡＮ）、新無線基地局（ＮＲ ＢＳ）、新無線ノードＢ（ＮＲ ＮＢ）ネットワークノード（ＮＮ）、または同様のもの）においてインプリメントされる。第２のオプションでは、ＲＲＣレイヤ５１０、ＰＤＣＰレイヤ５１５、ＲＬＣレイヤ５２０、ＭＡＣレイヤ５２５、およびＰＨＹレイヤ５３０は各々、ＡＮによってインプリメントされ得る。第２のオプション５０５−ｂは、フェムトセル展開において有用であり得る。
【００５２】
[0064]ネットワークアクセスデバイスがプロトコルスタックの一部をインプリメントするか、または全てをインプリメントするかにかかわらず、ＵＥは、プロトコルスタック全体（例えば、ＲＲＣレイヤ５１０、ＰＤＣＰレイヤ５１５、ＲＬＣレイヤ５２０、ＭＡＣレイヤ５２５、およびＰＨＹレイヤ５３０）をインプリメントし得る。
【００５３】
[0065]図６は、ＤＬ中心サブフレームの例を示す図６００である。ＤＬ中心サブフレームは、制御部分６０２を含み得る。制御部分６０２は、ＤＬ中心サブフレームの初期すなわち開始部分中に存在し得る。制御部分６０２は、ＤＬ中心サブフレームの様々な部分に対応する様々なスケジューリング情報および／または制御情報を含み得る。いくつかの構成では、制御部分６０２は、図６に示されているように、物理ＤＬ制御チャネル（ＰＤＣＣＨ）であり得る。ＤＬ中心サブフレームはまた、ＤＬデータ部分６０４を含み得る。ＤＬデータ部分６０４は、ＤＬ中心サブフレームのペイロードと呼ばれることもあり得る。ＤＬデータ部分６０４は、スケジューリングエンティティ（例えば、ＵＥまたはＢＳ）から下位エンティティ（例えば、ＵＥ）にＤＬデータを通信するために利用される通信リソースを含み得る。いくつかの構成では、ＤＬデータ部分６０４は、物理ＤＬ共有チャネル（ＰＤＳＣＨ）であり得る。
【００５４】
[0066]ＤＬ中心サブフレームはまた、共通ＵＬ部分６０６を含み得る。共通ＵＬ部分６０６は、ＵＬバースト、共通ＵＬバースト、および／または様々な他の適した用語で呼ばれることもあり得る。共通ＵＬ部分６０６は、ＤＬ中心サブフレームの様々な他の部分に対応するフィードバック情報を含み得る。例えば、共通ＵＬ部分６０６は、制御部分６０２に対応するフィードバック情報を含み得る。フィードバック情報の非限定的な例は、ＡＣＫ信号、ＮＡＣＫ信号、ＨＡＲＱインジケータ、および／または様々な他の適したタイプの情報を含み得る。共通ＵＬ部分６０６は、ランダムアクセスチャネル（ＲＡＣＨ）プロシージャ、スケジューリング要求（ＳＲ）に関係する情報、および様々な他の適したタイプの情報のような、追加または代替の情報を含み得る。図６に例示されているように、ＤＬデータ部分６０４の終端は、共通ＵＬ部分６０６の始端から時間的に隔てられ得る。この時間の隔たりは、ギャップ、ガード期間、ガードインターバル、および／または様々な他の適した用語で呼ばれることもあり得る。この隔たりは、ＤＬ通信（例えば、下位エンティティ（例えば、ＵＥ）による受信動作）からＵＬ通信（例えば、下位エンティティ（例えば、ＵＥ）による送信）へのスイッチオーバのための時間を提供する。当業者は、前述が、単にＤＬ中心サブフレームの一例に過ぎず、および同様の特徴を有する代替の構造が、ここに説明される態様から必ずしも逸脱することなしに存在し得ることを理解するであろう。
【００５５】
[0067]図７は、ＵＬ中心サブフレームの例を示す図７００である。ＵＬ中心サブフレームは、制御部分７０２を含み得る。制御部分７０２は、ＵＬ中心サブフレームの初期すなわち開始部分中に存在し得る。図７における制御部分７０２は、図６を参照して上述された制御部分と同様であり得る。ＵＬ中心サブフレームはまた、ＵＬデータ部分７０４を含み得る。ＵＬデータ部分７０４は、ＵＬ中心サブフレームのペイロードと呼ばれることもあり得る。ＵＬ部分は、下位エンティティ（例えば、ＵＥ）からスケジューリングエンティティ（例えば、ＵＥまたはＢＳ）にＵＬデータを通信するために利用される通信リソースを指し得る。いくつかの構成では、制御部分７０２は、物理ＤＬ制御チャネル（ＰＤＣＣＨ）であり得る。
【００５６】
[0068]図７に例示されているように、制御部分７０２の終端は、ＵＬデータ部分７０４の始端から時間的に隔てられ得る。この時間の隔たりは、ギャップ、ガード期間、ガードインターバル、および／または様々な他の適した用語で呼ばれることもあり得る。この隔たりは、ＤＬ通信（例えば、スケジューリングエンティティによる受信動作）からＵＬ通信（例えば、スケジューリングエンティティによる送信）へのスイッチオーバのための時間を提供する。ＵＬ中心サブフレームはまた、共通ＵＬ部分７０６を含み得る。図７における共通ＵＬ部分７０６は、図７を参照して上述された共通ＵＬ部分７０６と同様であり得る。共通ＵＬ部分７０６は加えてまたは代替として、チャネル品質インジケータ（ＣＱＩ）、サウンディング基準信号（ＳＲＳ）、および様々な他の適したタイプの情報に関係する情報を含み得る。当業者は、前述が、単にＵＬ中心サブフレームの一例に過ぎず、および同様の特徴を有する代替の構造が、ここに説明される態様から必ずしも逸脱することなしに存在し得ることを理解するであろう。
【００５７】
[0069]いくつかの状況では、２つ以上の下位エンティティ（例えば、ＵＥ）が、サイドリンク信号を使用して互いと通信し得る。そのようなサイドリンク通信の実世界でのアプリケーションは、公共の安全性、近接サービス、ＵＥ対ネットワーク中継、ビークルツービークル（Ｖ２Ｖ）通信、あらゆるモノのインターネット（ＩｏＥ：Internet of Everything）通信、ＩｏＴ通信、ミッションクリティカルメッシュ、および／または様々な他の適したアプリケーションを含み得る。概して、サイドリンク信号は、スケジューリングエンティティ（例えば、ＵＥまたはＢＳ）がスケジューリングおよび／または制御の目的で利用され得るとしても、そのスケジューリングエンティティを通じてその通信を中継することなしに、ある下位エンティティ（例えば、ＵＥ１）から別の下位エンティティ（例えば、ＵＥ２）に通信される信号を指し得る。いくつかの例では、サイドリンク信号は、（典型的にアンライセンススペクトルを使用するワイヤレスローカルエリアネットワークとは異なり）ライセンススペクトルを使用して通信され得る。
【００５８】
[0070]ＵＥは、リソースの専用セットを使用してパイロットを送信することに関連付けられた構成（例えば、無線リソース制御（ＲＲＣ）専用状態、等）、またはリソースの共通セットを使用してパイロットを送信することに関連付けられた構成（例えば、ＲＲＣ共通状態、等）を含む、様々な無線リソース構成で動作し得る。ＲＲＣ専用状態で動作するとき、ＵＥは、ネットワークにパイロット信号を送信するためにリソースの専用セットを選択し得る。ＲＲＣ共通状態で動作するとき、ＵＥは、ネットワークにパイロット信号を送信するためにリソースの共通セットを選択し得る。いずれのケースでも、ＵＥによって送信されたパイロット信号は、ＡＮ、またはＤＵ、あるいはそれらの一部分のような、１つまたは複数のネットワークアクセスデバイスによって受信され得る。各受信するネットワークアクセスデバイスは、リソースの共通セット上で送信されたパイロット信号を受信および測定することと、およびまた、そのネットワークアクセスデバイスがＵＥのためのネットワークアクセスデバイスのモニタリングセットのメンバであるＵＥに割り振られたリソースの専用セット上で送信されたパイロット信号を受信および測定することとを行うように構成され得る。受信するネットワークアクセスデバイスのうちの１つまたは複数、または受信するネットワークアクセスデバイス（１つ以上）がパイロット信号の測定値をそれに対して送信するＣＵは、ＵＥのためのサービングセルを識別するために、またはＵＥのうちの１つまたは複数のためのサービングセルの変更を開始するために測定値を使用し得る。  
実例的なシステム情報の信頼性の高い配信
【００５９】
[0071]現在のワイヤレスネットワーク展開（例えば、ＬＴＥ）では、セルのためのシステム構成パラメータを提供するシステム情報は、複数のシステム情報ブロック（ＳＩＢ）へとグループ化され、およびｅＮＢによって周期的にブロードキャストされ得る。これらのブロードキャストのスケジュールは、最小システム情報メッセージ（ｍｉｎｉＳＩ）と呼ばれる低減されたサイズの情報ブロック中に含まれ得、それもまた、周期的にブロードキャストされ得る。そのようなシステムでは、セルに対して新しいＵＥはまず、ＵＥがそのセルに接続することが可能になる前にシステム情報を取得する。
【００６０】
[0072]この現在の設計の１つの潜在的な欠点は、システム情報のこのブロードキャストが適応的でないことがあり得るということであり、それは、システムリソースの浪費をもたらし得る。例えば、システム情報を必要とするＵＥがセル中に存在しない場合、ＳＩＢは、依然としてブロードキャストされ、およびそれらの送信は、浪費される。この理由により、ＳＩＢブロードキャストの期間が短くなりすぎることを、それがシステムオーバヘッドを増大させ得ることから、避けることが望ましくあり得る。この特徴の潜在的な否定的側面は、それが、セルに接続するためにシステム情報を取得しているＵＥ中でレイテンシを増大し得るということである。この増大されたレイテンシは、特に、ＵＥが可能な限り素早く新しいセルに接続しようと試みる使用ケースにおいて望ましくないことがあり得る。
【００６１】
[0073]本開示の態様は、しかしながら、システム情報をオンデマンドにすることによって、この欠点に対するソリューションを提供する。以下により詳細に説明されることになるように、このオンデマンドアプローチを使用して、ＳＩＢは、ＳＩＢが１つまたは複数のＵＥによって要求されない限り送られないことがあり得る。ＵＥに確実にＳＩＢを配信するこのオンデマンドアプローチは、特に、ＵＥが未だにネットワークに接続されていないケースにおいて有益であり得る。
【００６２】
[0074]図８は、本開示の態様にしたがって、ワイヤレス通信のための実例的な動作８００を例示している。動作８００は、例えば、ＳＩＢのオンデマンド配信を要求するためにＵＥによって実行され得る。
【００６３】
[0075]動作８００は、８０２において、ＵＥによって所望されるシステム情報（ＳＩ）が現在ブロードキャストされていないと決定することによって始まる。８０４において、決定に応答して、ＵＥは、システム情報（ＳＩ）を要求するための第１のインジケーションを送る。８０６において、ＵＥは、要求されたＳＩの受信を確認するための、またはある時間期間後にＵＥが要求されたＳＩを受信していないことを示すための第２のインジケーションを送る。
【００６４】
[0076]いくつかのケースでは、時間期間は、第１のインジケーションに応答するＳＩの送信の予期されるインスタンスに基づいてＳＩを受信しようとする設定された試行回数に対応する。加えて、試行回数を示すシグナリングを受信することもまた提供され得る。１つまたは複数のケースでは、第２のインジケーションが、要求されたＳＩの受信を確認するためのものである場合、第２のインジケーションは、指定されたＲＡＣＨ送信または物理アップリンク制御チャネル（ＰＵＣＣＨ）上での肯定応答（ＡＣＫ）として送られ得る。いくつかのケースでは、第１のインジケーションは、指定されたランダムアクセスチャネル（ＲＡＣＨ）送信を介して送られ得る。いくつかのケースでは、提供され得る別の動作は、ブロードキャストメッセージ中で、要求されたＳＩがいつ送信されることになるかを示すシグナリングを受信することを含む。
【００６５】
[0077]図９は、本開示の態様にしたがって、ワイヤレス通信のための実例的な動作９００を例示している。動作９００は、例えば、ＵＥ（例えば、上述された動作８００を実行するＵＥ）へのＳＩＢのオンデマンド配信のために基地局によって実行され得る。
【００６６】
[0078]動作９００は、９０２において、１つまたは複数のユーザ機器から、システム情報（ＳＩ）を求める要求として第１のインジケーションを受信することによって始まる。９０４において、基地局は、第１のインジケーションに応答してＳＩを送信する。９０６において、基地局は、１つまたは複数のＵＥによる要求されたＳＩの受信を確認するための、またはある時間期間後に１つまたは複数のＵＥのうちの少なくとも１つが要求されたＳＩを受信していないと決定するための第２のインジケーションについてモニタする。９０８において、基地局は、モニタすることに基づいて、ＳＩを送信し続けるかどうかを決める。
【００６７】
[0079]いくつかのケースでは、時間期間は、ＳＩの設定された送信回数に対応し得る。いくつかのケースでは、送信は、予めスケジューリングされたサブフレーム中で生じる。いくつかのケースでは、試行回数を示すシグナリングを送信する動作が含まれ得る。いくつかのケースでは、設定された送信回数でカウンタを初期化することと、各ＳＩ送信でカウンタをデクリメントすることであって、ここにおいて、ＳＩを送信し続けるかどうかを決めることはカウンタに基づく、デクリメントすることとの動作が含まれ得る。
【００６８】
[0080]いくつかのケースでは、決めることの動作はさらに、カウンタが０に達した場合にＳＩの送信を停止することを決めることを含み得る。いくつかのケースでは、決めることの動作は、１つまたは複数のＵＥの各々が要求されたＳＩを受信することを肯定応答した場合に、カウンタが０に達する前にＳＩの送信を停止することを決めることを含み得る。さらに、動作は加えて、要求されたＳＩを受信していない１つまたは複数のＵＥのうちの少なくとも１つからネットワークエンティティが否定応答（ＮＡＣＫ）を受信する場合に、タイマを再初期化することを含み得る。いくつかのケースでは、第２のインジケーションは、指定されたランダムアクセスチャネル（ＲＡＣＨ）送信または物理アップリンク制御チャネル（ＰＵＣＣＨ）送信のうちの少なくとも１つを介して送られ得る。
【００６９】
[0081]ここに説明されるオンデマンドアプローチにしたがって、ＵＥがＳＩＢを受信（「ダウンロード」）したいとき、ＵＥは、ｇＮＢに要求を送る。いくつかのケースでは、この要求は、どのＳＩＢが要求されたかに関する情報を含み得る。いくつかのケースでは、要求はまた、ＵＥの識別子（ＩＤ）を含み得る−それは、どのＵＥがＳＩＢを要求（および後に確認応答）したかをｇＮＢが把握する（keep track of）のに役立ち得る。
【００７０】
[0082]ｇＮＢがオンデマンド要求を受信すると、ｇＮＢは、要求されたＳＩＢを送り得る。いつＳＩＢが送られるかを決定するための様々なオプションが存在する。第１のオプションによると、ｇＮＢは、ｇＮＢが要求を受信および処理するとＳＩＢを送り得る。このように、ＵＥが要求を送った時間と、ｇＮＢが最初にＳＩＢを送信する時間との間の遅延は、固定であり（且つＵＥに知られ）得る。結果として、ＵＥは、その要求されたＳＩＢの最初の送信をいつ予期すべきかを知る。この知識は、ＵＥが、例えば、否定応答（ＮＡＣＫ）をいつ送るか、または要求されたＳＩＢの再送信をいつ要求するかを決定することを可能にし得る。
【００７１】
[0083]第２のオプションによると、ｇＮＢは、要求された場合／ときに、予めスケジューリングされたサブフレーム中でのみＳＩＢをブロードキャストし得る。予めスケジューリングされたサブフレームは、例えば、オンデマンドＳＩＢ送信のインスタンスが生じ得るサブフレームのウィンドウを備え得る。ウィンドウは、例えば、媒体が特定のサブフレーム中で利用可能になることが保証されないことがあり得るアンライセンススペクトルの場合、ある範囲の複数のサブフレームまたは単一のサブフレーム中で単一のインスタンスをカバーし得る。
【００７２】
[0084]一般に、予めスケジューリングされたサブフレームを使用して、ＳＩＢは、ＳＩＢのスケジューリングされた時間の前にＳＩＢを求める要求が受信されない場合にはブロードキャストされない。そうでない場合は、ｇＮＢが、そのＳＩＢのための次のスケジューリングされた時間においてのみ、全ての受信された要求に応答し得る。各（異なるタイプの）ＳＩＢのブロードキャストスケジュールは、ｍｉｎｉＳＩ中でアドバタイズされ得る。スケジュール（１つ以上）の知識を用いて、ＵＥは、ＵＥがＳＩＢを要求する場合にＵＥはいつＳＩＢを受信することを予期することができるかを算出し得る。
【００７３】
[0085]いくつかのケースでは、ｇＮＢは、要求を送ったＵＥのセットを把握し得る。例えば、以下に説明されるように、ｇＮＢは、そのＳＩＢを要求した全てのＵＥがそのＳＩＢの受信を確認応答した（または、どのＵＥも受信を否定応答していない）場合に、ＳＩＢを送信することを停止し得る。
【００７４】
[0086]要求を送った後に、ＵＥは、上述されたように、その予期される送信時間においてＳＩＢを受信しようとする。ｇＮＢによってＳＩＢの成功裏の受信を確実にするのに役立てるために何が行われ得るかの様々なオプションが存在する。ある１つのオプションによると、図１０に例示されているように、ｇＮＢ側上で、ＳＩＢの第１のブロードキャスト後に、１０１０において、ｇＮＢは、Ｎｃの初期値でカウンタを開始し、およびＳＩＢのブロードキャストを繰り返す。カウンタは、各ブロードキャスト後に１だけデクリメントされ得る。カウンタが０に達すると、ｇＮＢは、ＳＩＢをブロードキャストすることを停止する。Ｎｃは、ｍｉｎｉＳＩ中でアドバタイズされ得、および故に、ＵＥに知られ得る。いくつかのケースでは、ｇＮＢが（例えば、ＳＩＢを要求する任意のＵＥから）ＮＡＣＫを受信するときはいつでも、ｇＮＢは、再送信カウンタをＮｃにリセット（再初期化）し得る。ＵＥ側上では、ＵＥがＳＩＢを成功裏に受信する場合、ＵＥは、さらなる行動を取る必要はないことがあり得る。その一方で、ＵＥがＮｃ回数の連続する試行の後にＳＩＢを受信しない場合、ＵＥは、ｇＮＢに否定応答（ＮＡＣＫ）を送り得る。ＮＡＣＫは、例えば、特殊ランダムアクセスチャネル（ＲＡＣＨ）プリアンブルまたはメッセージを介して、あるいは物理アップリンク制御チャネル（ＰＵＣＣＨ）を介して送られ得る。このプロセスは、ＵＥがＳＩＢを成功裏に受信するまで繰り返され得る。
【００７５】
[0087]図１１に例示されている別のオプションによると、ＵＥがＳＩＢを成功裏に受信する場合、ＵＥは、ｇＮＢにＡＣＫを送り、およびＵＥ側のオンデマンド配信プロシージャを完了する。ＡＣＫは、例えば、特殊ランダムアクセスチャネル（ＲＡＣＨ）プリアンブルまたはメッセージを介して、あるいは物理アップリンク制御チャネル（ＰＵＣＣＨ）を介して送られ得る。このプロセスは、ＵＥがＳＩＢを成功裏に受信するまで繰り返され得る。そうでない場合は、ＵＥは、ＳＩＢの次の予期される送信時間において再びＳＩＢを受信しようとし続け得る。ネットワーク側上では、ｇＮＢは、ＳＩＢをブロードキャストし続け得る。同時に、ｇＮＢは、ＡＣＫ中で送ったＵＥのセットを把握し得る。ｇＮＢは、要求を送った全てのＵＥからｇＮＢがＡＣＫを受信した場合に、ＳＩＢをブロードキャストすることを停止し得る。
【００７６】
[0088]いくつかのケースでは、同時にＰＵＣＣＨを通してＡＣＫを送っているＵＥ間で衝突が存在し得る。これは、ｇＮＢが衝突を検出することができず、且つＵＥがＡＣＫを１回しか送らない場合に、ｇＮＢに、停止することなしにＳＩＢを送り続けさせ得る。そのようなケースを避けるために、ｇＮＢは、ｇＮＢが全てのＵＥからＡＣＫを受信していない場合であっても、Ｎｍａｘ回数の繰り返し後にブロードキャストを停止し得る。このＮｍａｘは、ｍｉｎｉＳＩ中でアドバタイズされ得るため、ＵＥがＮｍａｘ回数の試行後にＳＩＢを受信しない場合に、ＵＥは、その要求を再び送るべきである。
【００７７】
[0089]上述されたように、ここに説明されたメッセージ（例えば、オンデマンドＳＩＢを求める要求、ＮＡＣＫおよびＡＣＫ）について異なるインプリメンテーションのオプションが存在する。実際のインプリメンテーションの場合、任意の所与の展開のために、ネットワーク（オペレータ）は、ＳＩＢの信頼性の高い配信を達成するために、上述された配信オプションのうちの任意のものとともに、ここに説明されたオプションの任意の組み合わせを使用することを選び得る。いくつかのケースでは、特定の構成は、ｍｉｎｉＳＩ中でアドバタイズされ得るため、ＵＥは、それに応じてどのようにそれらのプロシージャを実行するかを知る。
【００７８】
[0090]いくつかのケースでは、オンデマンドＳＩＢ要求のために、ＵＥは、ランダムアクセスチャネル（ＲＡＣＨ）上で特殊プリアンブルを送り得る。加えて、ＳＩＢを求める要求は、そのＳＩＢのための指定されたＲＡＣＨタイムスロット中で送られ得るため（例えば、スロット１はＳＩＢ３のためのもの、スロット５はＳＩＢ４のためのもの、および同様のもの）、ｇＮＢは、ｇＮＢがこの特殊プリアンブルを受信するときにどのＳＩＢが要求されているかを知る。いくつかのケースでは、要求は、いわゆるメッセージ３中で送られ得、通常の２ステップまたは４ステップＲＡＣＨプロシージャを想定する。そのようなケースでは、ＵＥは、どのＳＩＢをＵＥが要求しているかをメッセージ３中で示し得る。
【００７９】
[0091]いくつかのケースでは、ＵＥは、特殊ＲＡＣＨプリアンブルを送ることによってＮＡＣＫをシグナリングし得る。どのＵＥがこのＮＡＣＫを送ったかをｇＮＢが知る必要がないことがあり得る（および任意のＵＥがＮＡＣＫを送る場合にはそのカウンタをリセットし得る）ことから、この特殊プリアンブルは、任意のＲＡＣＨタイムスロット中で送られ得る。いくつかのケースでは、ＮＡＣＫは、当初の要求と同じメッセージを使用して送られ得る（例えば、ＮＡＣＫは、オンデマンドＳＩＢを求める別の要求としての役割を効果的に果たす）。厳密なタイミングアドバンスメント（timing advancement）が必要とされないことがあり得る使用ケースでは、特殊ＰＵＣＣＨリソースが、ｇＮＢにＮＡＣＫを送ることを目的として構成され得る。このリソースおよびその期間は、ｍｉｎｉＳＩ中でアドバタイズされ得る。対応するＰＵＣＣＨフォーマットが、このＮＡＣＫがどのＳＩＢのためのものかに関する情報を含むように定義され得る。
【００８０】
[0092]いくつかのケースでは、ＵＥは、通常の２ステップまたは４ステップＲＡＣＨプロシージャにおいてメッセージ３中でＡＣＫをシグナリングし得る。ＵＥは、メッセージ３中で、それがＡＣＫであることを示し得る。上述されたように、そのようなＡＣＫはまた、ＵＥ ＩＤと、そのＡＣＫがどのＳＩＢのためのものかに関する情報とを含み得る。厳密なタイミングアドバンスメントが必要とされないことがあり得る使用ケースでは、特殊ＰＵＣＣＨリソースが、ｇＮＢにＡＣＫを送ることを目的として構成され得る。このリソースおよびその期間は、ｍｉｎｉＳＩ中でアドバタイズされ得る。対応するＰＵＣＣＨフォーマットが、ＵＥ ＩＤと、このＮＡＣＫがどのＳＩＢのためのものかに関する情報とを含むように定義され得る。上述されたように、複数のＵＥが同時にこのＰＵＣＣＨリソースを使用すると衝突が生じ得ることから、このオプションが使用されるときには、（衝突を避けるまたは少なくとも考慮するために）上述された追加のステップが取られ得る。
【００８１】
[0093]ここに説明された方法は、説明された方法を達成するための１つまたは複数のステップあるいはアクションを備える。方法のステップおよび／またはアクションは、特許請求の範囲から逸脱することなしに互いと置き換えられ得る。言い換えれば、ステップまたはアクションの特定の順序が規定されない限り、特定のステップおよび／またはアクションの順序および／または使用は、特許請求の範囲から逸脱することなしに修正され得る。
【００８２】
[0094]ここに使用される場合、項目のリスト「のうちの少なくとも１つ」を指すフレーズは、単一のメンバを含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素を有する任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）をカバーすることを意図される。特許請求の範囲を含め、ここに使用される場合、「および／または（and/or）」という用語は、２つ以上の項目のリスト中で使用されるとき、リストされた項目のうちのいずれか１つが単独で用いられることができるか、またはリストされた項目のうちの２つ以上の任意の組み合わせが用いられることができることを意味する。例えば、ある構成が、コンポーネントＡ、Ｂ、および／またはＣを包含すると説明される場合、その構成は、Ａだけ、Ｂだけ、Ｃだけ、ＡとＢの組み合わせ、ＡとＣの組み合わせ、ＢとＣの組み合わせ、またはＡとＢとＣの組み合わせを包含することができる。
【００８３】
[0095]ここに使用される場合、「決定すること」という用語は、幅広い多様なアクションを包含する。例えば、「決定すること」は、算出すること、計算すること、処理すること、導出すること、調査すること、ルックアップすること（例えば、表、データベースまたは別のデータ構造中をルックアップすること）、確定すること、および同様のものを含み得る。また、「決定すること」は、受信すること（例えば、情報を受信すること）、アクセスすること（例えば、メモリ中のデータにアクセスすること）、および同様のものを含み得る。また、「決定すること」は、解決すること、選択すること、選ぶこと、確立すること、および同様のものを含み得る。
【００８４】
[0096]先の説明は、いかなる当業者であっても、ここに説明された様々な態様を実施することを可能にするために提供される。これらの態様への様々な修正は、当業者にとって容易に明らかとなり、およびここに定義された包括的な原理は、他の態様に適用され得る。このことから、特許請求の範囲は、ここに示された態様に限定されることを意図されていないが、特許請求の範囲の文言と一致する全範囲を付与されるべきであり、ここにおいて、単数形での要素への言及は、そうであると具体的に記載されない限り、「１つおよび１つのみ」を意味することを意図されておらず、むしろ「１つまたは複数」を意味する。例えば、本願および添付された特許請求の範囲中に使用される「ａ」および「ａｎ」といった冠詞は概して、別途規定されていない、または単数形を対象とすることがコンテキストから明らかでない限り、「１つまたは複数」を意味するように解釈されるべきである。別途具体的に記載されない限り、「いくつかの／いくらかの／何らかの（some）」という用語は、１つまたは複数を指す。その上、「または／あるいは／もしくは（or）」という用語は、排他的な「または／あるいは／もしくは」というよりはむしろ、包括的な「または／あるいは／もしくは」を意味することを意図される。すなわち、別途規定されていない、またはコンテキストから明らかでない限り、例えば、「ＸはＡまたはＢを用いる」というフレーズは、自然な包括的置換のうちの任意のものを意味することを意図される。すなわち、例えば、「ＸはＡまたはＢを用いる」というフレーズは、 ＸはＡを用いる、ＸはＢを用いる、またはＸはＡおよびＢの両方を用いる、という事例のうちのいずれによっても満たされる。当業者に知られているか、または後に知られることになる、この開示全体を通じて説明された様々な態様の要素に対する全ての構造的および機能的な同等物は、参照によってここに明確に組み込まれ、および特許請求の範囲によって包含されることを意図される。その上、ここに説明されたものはいずれも、そのような開示が特許請求の範囲に明示的に記載されているかどうかにかかわらず、公に献呈されることを意図されていない。いずれの請求項の要素も、その要素が「〜のための手段（means for）」というフレーズを使用して明確に記載されていない限り、または、方法の請求項のケースでは、その要素が「〜のためのステップ（step for）」というフレーズを使用して記載されていない限り、米国特許法第１１２条第６段落の規定の下に解釈されるべきではない。
【００８５】
[0097]上述された方法の様々な動作は、対応する機能を実行することが可能である任意の適した手段によって実行され得る。手段は、回路、特定用途向け集積回路（ＡＳＩＣ）、またはプロセッサを含むがそれらに限定されない、様々なハードウェアおよび／またはソフトウェアコンポーネント（１つ以上）および／またはモジュール（１つ以上）を含み得る。概して、図に例示される動作が存在する場合、それらの動作は、同様の番号付けを有する対応する対照のミーンズプラスファンクションコンポーネントを有し得る。例えば、図８に例示されている動作８００、および図９に例示されている動作９００は、それぞれ、図８Ａに例示されている手段８００Ａ、図９Ａに例示されている手段９００Ａに対応する。
【００８６】
[0098]例えば、送信するための手段（または送るための手段）および／または受信するための手段は、基地局１１０の送信プロセッサ４２０、ＴＸ ＭＩＭＯプロセッサ４３０、受信プロセッサ４３８、またはアンテナ（１つ以上）４３４および／またはユーザ機器１２０の送信プロセッサ４６４、ＴＸ ＭＩＭＯプロセッサ４６６、受信プロセッサ４５８、またはアンテナ（１つ以上）４５２のうちの１つまたは複数を備え得る。加えて、決定するための手段、シグナリングするための手段、示すための手段、モニタするための手段、決めるための手段、初期化するための手段、デクリメントするための手段、および／または初期化するための手段は、基地局１１０のコントローラ／プロセッサ４４０および／またはユーザ機器１２０のコントローラ／プロセッサ４８０のような１つまたは複数のプロセッサを備え得る。本開示に関連して説明された様々な例示的な論理ブロック、モジュールおよび回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス（ＰＬＤ）、ディスクリートゲートまたはトランジスタロジック、ディスクリートハードウェアコンポーネント、あるいはここに説明された機能を実行するように設計されたそれらの任意の組み合わせを用いてインプリメントまたは実行され得る。汎用プロセッサは、マイクロプロセッサであり得るが、代替では、プロセッサは、任意の市販のプロセッサ、コントローラ、マイクロコントローラ、またはステートマシンであり得る。プロセッサはまた、コンピューティングデバイスの組み合わせ、例えば、ＤＳＰとマイクロプロセッサとの組み合わせ、複数のマイクロプロセッサ、ＤＳＰコアと連携した１つまたは複数のマイクロプロセッサ、あるいは任意の他のそのような構成としてインプリメントされ得る。
【００８７】
[0099]ハードウェアにおいてインプリメントされる場合、実例的なハードウェア構成は、ワイヤレスノード中の処理システムを備え得る。処理システムは、バスアーキテクチャを用いてインプリメントされ得る。バスは、処理システムの特定のアプリケーションおよび全体的な設計制約に依存して、任意の数の相互接続バスおよびブリッジを含み得る。バスは、プロセッサ、機械可読媒体、およびバスインターフェースを含む様々な回路をともにリンクさせ得る。バスインターフェースは、中でもとりわけ、バスを介して処理システムにネットワークアダプタを接続するために使用され得る。ネットワークアダプタは、ＰＨＹレイヤの信号処理機能をインプリメントするために使用され得る。ユーザ端末１２０（図１を参照）のケースでは、ユーザインターフェース（例えば、キーパッド、ディスプレイ、マウス、ジョイスティック、等）もまた、バスに接続され得る。バスはまた、タイミングソース、周辺機器、電圧レギュレータ、電力管理回路、および同様なもののような様々な他の回路をリンクさせ得るが、それらは、当該技術において良く知られており、およびしたがって、これ以上は説明されない。プロセッサは、１つまたは複数の汎用および／または特殊用途プロセッサを用いてインプリメントされ得る。例は、マイクロプロセッサ、マイクロコントローラ、ＤＳＰプロセッサ、およびソフトウェアを実行することができる他の回路を含む。当業者は、特定のアプリケーションおよびシステム全体に課せられた全体的な設計制約に依存して、処理システムについての説明された機能をどのようにインプリメントするのが最良であるかを認識するであろう。
【００８８】
[0100]ソフトウェアにおいてインプリメントされる場合、それら機能は、１つまたは複数の命令またはコードとして、コンピュータ可読媒体上に記憶され得るか、またはコンピュータ可読媒体を通して送信され得る。ソフトウェアは、ソフトウェア、ファームウェア、ミドルウェア、マイクロコード、ハードウェア記述言語、またはその他の名称で呼ばれるかにかかわらず、命令、データ、またはそれらの任意の組み合わせを意味するように広く解釈されるべきである。コンピュータ可読媒体は、ある場所から別の場所へのコンピュータプログラムの転送を容易にする任意の媒体を含む通信媒体とコンピュータ記憶媒体との両方を含む。プロセッサは、バスの管理と、機械可読記憶媒体上に記憶されたソフトウェアモジュールの実行を含む汎用処理とを担い得る。コンピュータ可読記憶媒体は、プロセッサが記憶媒体から情報を読み取り、および記憶媒体に情報を書き込むことができるように、プロセッサに結合され得る。代替では、記憶媒体は、プロセッサと一体化され得る。例として、機械可読媒体は、伝送線路、データによって変調された搬送波、および／またはワイヤレスノードとは別個の、その上に命令を記憶したコンピュータ可読記憶媒体を含み得、それらの全ては、バスインターフェースを通じてプロセッサによってアクセスされ得る。代替として、または加えて、機械可読媒体、またはその任意の一部分は、キャッシュおよび／または汎用レジスタファイルでのケースでそうであり得るように、プロセッサへと統合され得る。機械可読記憶媒体の例は、例として、ＲＡＭ（ランダムアクセスメモリ）、フラッシュメモリ、相変化メモリ、ＲＯＭ（読取専用メモリ）、ＰＲＯＭ（プログラマブル読取専用メモリ）、ＥＰＲＯＭ（消去可能プログラマブル読取専用メモリ）、ＥＥＰＲＯＭ（登録商標）（電気的消去可能プログラマブル読取専用メモリ）、レジスタ、磁気ディスク、光ディスク、ハードドライブ、または任意の他の適した記憶媒体、あるいはそれらの任意の組み合わせを含み得る。機械可読媒体は、コンピュータプログラム製品中で具現化され得る。
【００８９】
[0101]ソフトウェアモジュールは、単一の命令、または多くの命令を備え得、およびいくつかの異なるコードセグメントにわたって、異なるプログラム間において、および複数の記憶媒体にわたって、分散され得る。コンピュータ可読媒体は、いくつかのソフトウェアモジュールを備え得る。ソフトウェアモジュールは、プロセッサのような装置によって実行されると、処理システムに様々な機能を実行させる命令を含む。ソフトウェアモジュールは、送信モジュールおよび受信モジュールを含み得る。各ソフトウェアモジュールは、単一の記憶デバイス中に存在し得るか、または複数の記憶デバイスにわたって分散され得る。例として、ソフトウェアモジュールは、トリガリングイベントが生じたときに、ハードドライブからＲＡＭへとロードされ得る。ソフトウェアモジュールの実行中、プロセッサは、アクセス速度を増大させるために、命令のうちのいくつかをキャッシュへとロードし得る。１つまたは複数のキャッシュラインがその後、プロセッサによる実行のために汎用レジスタファイルへとロードされ得る。以下でソフトウェアモジュールの機能に言及するとき、そのような機能は、そのソフトウェアモジュールからの命令を実行するときに、プロセッサによってインプリメントされることが理解されるであろう。
【００９０】
[0102]また、いずれの接続も、厳密にはコンピュータ可読媒体と称される。例えば、ソフトウェアが、同軸ケーブル、光ファイバケーブル、ツイストペア、デジタル加入者回線（ＤＳＬ）、または赤外線（ＩＲ）、無線、およびマイクロ波のようなワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波のようなワイヤレス技術は、媒体の定義中に含まれる。ディスク（disk）およびディスク（disc）は、ここに使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。このことから、いくつかの態様では、コンピュータ可読媒体は、非一時的コンピュータ可読媒体（例えば、有形媒体）を備え得る。加えて、他の態様では、コンピュータ可読媒体は、一時的コンピュータ可読媒体（例えば、信号）を備え得る。上記の組み合わせもまた、コンピュータ可読媒体の範囲内に含まれるべきである。
【００９１】
[0103]このことから、ある特定の態様は、ここに提示された動作を実行するためのコンピュータプログラム製品を備え得る。例えば、そのようなコンピュータプログラム製品は、その上に命令を記憶（および／または符号化）したコンピュータ可読媒体を備え得、命令は、ここに説明された動作を実行するために、１つまたは複数のプロセッサによって実行可能である。例えば、ここに説明され、且つ添付された図面に例示された動作を実行するための命令。
【００９２】
[0104]さらに、ここに説明された方法および技法を実行するためのモジュールおよび／または他の適切な手段は、適宜、ユーザ端末および／または基地局によってダウンロードおよび／またはそうでない場合は取得されることができることが認識されるべきである。例えば、そのようなデバイスは、ここに説明された方法を実行するための手段の転送を容易にするためにサーバに結合されることができる。代替として、ここに説明された様々な方法は、記憶手段（例えば、ＲＡＭ、ＲＯＭ、コンパクトディスク（ＣＤ）またはフロッピーディスクのような物理記憶媒体、等）を介して提供されることができ、それにより、ユーザ端末および／または基地局は、デバイスに記憶手段を結合または提供する際に様々な方法を取得することができる。その上、ここに説明された方法および技法をデバイスに提供するための任意の他の適した技法が利用されることができる。
【００９３】
[0105]特許請求の範囲は、上記に例示されたまさにその構成およびコンポーネントに限定されないことが理解されるべきである。様々な修正、変更、および変形が、特許請求の範囲から逸脱することなしに、上述された方法および装置の配置、動作および詳細においてなされ得る。
【図１】
2020512768.tif 000003
【図２】
2020512768.tif 000004
【図３】
2020512768.tif 000005
【図４】
2020512768.tif 000006
【図５】
2020512768.tif 000007
【図６】
2020512768.tif 000008
【図７】
2020512768.tif 000009
【図８】
2020512768.tif 000010
【図８Ａ】
2020512768.tif 000011
【図９】
2020512768.tif 000012
【図９Ａ】
2020512768.tif 000013
【図１０】
2020512768.tif 000014
【図１１】
2020512768.tif 000015
【国際調査報告】
2020512768.tif 000016
2020512768.tif 000017
2020512768.tif 000018